(57)【特許請求の範囲】
【請求項１】
曲げプロセスにおける変形により、特に揺動曲げ又は振動曲げによって、シートから工作物（２）を形成する製造設備（１）であって、
−固定の機械フレーム（７）、下方のクランプビーム（１３）及び上方のクランプビーム（１６）を備えた曲げ機械（３）を有し、その場合にクランプビーム（１３、１６）の少なくとも１つが、形成すべき工作物（２）をクランプ保持するために、機械フレーム（７）に対して変位可能であり、
−少なくとも１つの下方のクランプジョウ（５）及び、複数の第１の上方のクランプジョウ（６Ａ）と少なくとも１つの第２の上方のクランプジョウ（６Ｂ）とからなる上方のクランプジョウセット（４３）を備えたクランプ工具（４）を有し、クランプジョウ（５、６）の各々がベースボディを有し、その場合に少なくとも１つの下方のクランプジョウ（５）が下方のクランプビーム（１３）に保持されており、かつ上方のクランプジョウセット（４３）の上方のクランプジョウ（６Ａ、６Ｂ）が上方のクランプビーム（１６）に保持されており、かつその場合に少なくとも１つの第２の上方のクランプジョウ（６Ｂ）がクランプビーム（１３、１６）の長手方向の延びの方向において第１の終端セクション（４６）に、そのベースボディに対して作業位置から引き抜き位置へ変位可能な第１のクランプジョウ部分（４７）を有し、その場合に引き抜き位置において上方のクランプジョウセット（４３）の長手方向の延びが、作業位置におけるよりも短く、かつ
−その場合に、上方のクランプビーム（６Ａ、６Ｂ）が作業位置にある場合に、上方のクランプビームセット（４３）によって、クランプビーム（１３、１６）の長手方向の延びの方向に整合する曲げエッジ（４５）が形成されており、かつ各第１の上方のクランプジョウ（６Ａ）によってそれぞれ曲げエッジ（４５）の第１の部分曲げエッジ（５３）が形成されており、かつ作業位置において少なくとも１つの第２の上方のクランプジョウ（６Ｂ）によって第２の部分曲げエッジ（５４）が形成されており、かつ
−曲げユニット（３５）を有し、前記曲げユニット（３５）が曲げプロセスを実施するためにクランプ工具（４）に対して変位可能である、
ものにおいて、
−少なくとも１つの第２の上方のクランプジョウ（６Ｂ）が、さらに、クランプビーム（１３、１６）の長手方向の延びの方向において第１の終端セクション（４６）から離隔して配置された第２の終端セクション（４８）に、作業位置から引き抜き位置へ変位可能な第２のクランプジョウ部分（４９）を有しており、
−クランプビーム（１３、１６）の長手方向の延びの方向において、少なくとも１つの第２の上方のクランプジョウ（６Ｂ）のそれぞれ両側に、少なくとも１つの第１の上方のクランプジョウ（６Ａ）が配置されており、かつ
−第１の上方のクランプジョウ（６Ａ）が少なくとも、少なくとも１つの第２の上方のクランプジョウ（６Ｂ）とは逆を向いた、その第１の終端領域（５１）に、それぞれ第１のホーン（５２）を有し、前記第１のホーン（５２）が、第１の上方のクランプジョウ（６Ａ）のそれぞれのベースボディを越えてクランプビーム（１３、１６）の長手方向の延びの方向に張り出すように形成されている、
ことを特徴とする製造設備。
【請求項２】
クランプジョウ部分（４７、４９）に、それぞれホーン形状に形成された突出部（５０）が形成されており、かつ引き抜き位置においてクランプジョウ部分（４７、４９）によって、クランプビーム（１３、１６）の長手方向の延びの方向に、第２の上方のクランプジョウ（６Ｂ）の短縮された外側の長手寸法が定められている、ことを特徴とする請求項１に記載の製造設備（１）。
【請求項３】
引き抜き位置における第２の上方のクランプジョウ（６Ｂ）の短縮された外側の長手寸法が、第２の上方のクランプジョウ（６Ｂ）のベースボディの最大の長さに相当する、ことを特徴とする請求項２に記載の製造設備（１）。
【請求項４】
引き抜き位置において、少なくとも１つの第２の上方のクランプジョウ（６Ｂ）のそれぞれ両側に位置する第１の上方のクランプジョウ（６Ａ）が、それぞれ少なくとも１つの第２の上方のクランプジョウ（６Ｂ）のベースボディの方向へ変位されている、ことを特徴とする請求項１から３のいずれか１項に記載の製造設備（１）。
【請求項５】
第１の上方のクランプジョウ（６Ａ）の少なくとも１つが、少なくとも１つの第２の上方のクランプジョウ（６Ｂ）へ向いた、その第２の終端領域（５５）に、それぞれクランプビーム（１３、１６）の長手方向の延びの方向にベースボディを越えて張り出す第２のホーン（５６）を有している、ことを特徴とする請求項１から４のいずれか１項に記載の製造設備（１）。
【請求項６】
上方のクランプジョウセット（４３）の少なくとも１つの第２の上方のクランプジョウ（６Ｂ）が、上方のクランプビーム（１６）に関して固定の位置に配置されている、ことを特徴とする請求項１から５のいずれか１項に記載の製造設備（１）。
【請求項７】
少なくとも１つの第２の上方のクランプジョウ（６Ｂ）が、上方のクランプジョウセット（４３）の中央領域内に配置されている、ことを特徴とする請求項１から６のいずれか１項に記載の製造設備（１）。
【請求項８】
上方のクランプジョウセット（４３）の上方のクランプジョウ（６Ａ、６Ｂ）の数が、作業位置において曲げエッジ（４５）の全長が、第１の上方のクランプジョウ（６Ａ）の第１の部分曲げエッジ（５３）の個々の長さに第２の上方のクランプジョウ（６Ｂ）の第２の部分曲げエッジ（５４）の長さを加えたものから形成される合計に相当するように、選択されており、かつこのように形成された合計が最大で、形成すべき工作物（２）において支持すべきクランプ長さの長手寸法に相当する、ことを特徴とする請求項１から７のいずれか１項に記載の製造設備（１）。
【請求項９】
作業位置と引き抜き位置とにおいて、上方のクランプジョウセット（４３）の上方のクランプジョウ（６Ａ、６Ｂ）の数が、互いに対して等しい、ことを特徴とする請求項１から８のいずれか１項に記載の製造設備（１）。
【請求項１０】
クランプ工具（４）が、さらに、下方のクランプジョウセット（４４）を有しており、下方のクランプジョウセット（４４）が複数の第１の下方のクランプジョウ（５Ａ）と少なくとも１つの第２の下方のクランプジョウ（５Ｂ）を有しており、かつ
少なくとも１つの第２の下方のクランプジョウ（５Ｂ）が両側の、クランプビーム（１３、１６）の長手方向の延びの方向に配置されたその第１と第２の終端セクション（４６、４８）に、それぞれ作業位置から引き抜き位置へ変位可能な第１と第２のクランプジョウ部分（４７、４９）を有している、
ことを特徴とする請求項１から９のいずれか１項に記載の製造設備（１）。
【請求項１１】
少なくとも１つの第２の下方のクランプジョウ（５Ｂ）の両側に、クランプビーム（１３、１６）の長手方向の延びの方向に、少なくとも１つの第１の下方のクランプジョウ（５Ａ）が配置されている、ことを特徴とする請求項１０に記載の製造設備（１）。
【請求項１２】
曲げプロセスにおける変形により、特に揺動曲げ又は振動曲げによって、特に請求項１から１１のいずれか１項に記載の製造設備（１）を使用して、シートから工作物（２）を形成する製造設備（１）のクランプ工具（４）のクランプジョウセット（４３、４４）の曲げエッジ（４５）の全長を、適合させる方法であって、その場合に方法が以下のステップ、すなわち、
−固定の機械フレーム（７）、下方のクランプビーム（１３）及び上方のクランプビーム（１６）を有する曲げ機械（３）を準備するステップであって、クランプビーム（１３、１６）の少なくとも１つが、形成すべき工作物（２）を締めつけ保持するために、機械フレーム（７）に対して変位可能である、曲げ機械（３）を準備するステップと、
−少なくとも１つの下方のクランプジョウ（５）及び、複数の第１の上方のクランプジョウ（６Ａ）と少なくとも１つの第２の上方のクランプジョウ（６Ｂ）とを備えた上方のクランプジョウセット（４３）を有するクランプ工具（４）を準備するステップであって、各クランプジョウ（５、６）がベースボディを有し、かつその場合に少なくとも１つの下方のクランプジョウ（５）が下方のクランプビーム（１３）に保持されており、かつ上方のクランプジョウセット（４３）の上方のクランプジョウ（６Ａ、６Ｂ）が上方のクランプビーム（１６）に保持されており、かつその場合に少なくとも１つの第２の上方のクランプジョウ（６Ｂ）がクランプビーム（１３、１６）の長手方向の延びの方向において、第１の終端セクション（４６）にそのベースボディに対して作業位置から引き抜き位置へ変位可能な第１のクランプジョウ部分（４７）を有し、その場合に引き抜き位置においては、上方のクランプジョウセット（４３）の長さ寸法が、作業位置におけるよりも短く形成されている、クランプ工具（４）を準備するステップと、を有し、
−上方のクランプジョウ（６Ａ、６Ｂ）が作業位置にある場合に、上方のクランプジョウセット（４３）によって、クランプビーム（１３、１６）の長手方向の延びの方向に整合する曲げエッジ（４５）が形成され、かつその場合に各第１の上方のクランプジョウ（６Ａ）によって、それぞれ曲げエッジ（４５）の第１の部分曲げエッジ（５３）が形成され、かつ作業位置における少なくとも１つの第２の上方のクランプジョウ（６Ｂ）によって第２の部分曲げエッジ（５４）が形成され、さらに、
−曲げユニット（３５）を準備するステップであって、前記曲げユニット（３５）が曲げプロセスを実施するためにクランプ工具（４）に対して変位可能である、曲げユニット（３５）を準備するステップと、を有するものにおいて、
−少なくとも１つの第２の上方のクランプジョウ（６Ｂ）がさらに、クランプビーム（１３、１６）の長手方向の延びの方向において第１の終端セクション（４６）から離隔して配置された、その第２の終端セクション（４８）に、作業位置から引き抜き位置へ変位可能な第２のクランプジョウ部分（４９）を有し、
−少なくとも１つの第２の上方のクランプジョウ（６Ｂ）のそれぞれ両側に、クランプビーム（１３、１６）の長手方向の延びの方向に、少なくとも１つの第１の上方のクランプジョウ（６Ａ）が配置されており、かつ
−第１の上方のクランプジョウ（６Ａ）が少なくとも、少なくとも１つの第２の上方のクランプジョウ（６Ｂ）とは逆の、その第１の終端領域（５１）にそれぞれ第１のホーン（５２）を有しており、前記第１のホーン（５２）が第１の上方のクランプジョウ（６Ａ）のベースボディを越えてクランプビーム（１３、１６）の長手方向の延びの方向に張り出すように形成されている、
ことを特徴とする方法。
【請求項１３】
クランプジョウ部分（４７、４９）にそれぞれホーン形状に形成された突出部（５０）が形成されており、かつ引き抜き位置におけるクランプジョウ部分（４７、４９）によって、クランプビーム（１３、１６）の長手方向の延びの方向における第２の上方のクランプジョウ（６Ｂ）の短縮された外側の長手寸法が定められる、ことを特徴とする請求項１２に記載の方法。
【請求項１４】
引き抜き位置における第２の上方のクランプジョウ（６Ｂ）の短縮された外側の長手寸法が、第２の上方のクランプジョウ（６Ｂ）のベースボディの最大の長さに相当する、ことを特徴とする請求項１３に記載の方法。
【請求項１５】
引き抜き位置を形成するために、少なくとも１つの第２の上方のクランプジョウ（６Ｂ）のそれぞれ両側に位置する第１の上方のクランプジョウ（６Ａ）が、それぞれ少なくとも１つの第２の上方のクランプジョウ（６Ｂ）のベースボディの方向へ変位されている、ことを特徴とする請求項１２から１４のいずれか１項に記載の方法。
【請求項１６】
第１の上方のクランプジョウ（６Ａ）の少なくとも１つのものの、少なくとも１つの第２の上方のクランプジョウ（６Ｂ）へ向いた第２の終端領域（５５）に、それぞれクランプビーム（１３、１６）の長手方向の延びの方向にベースボディを越えて張り出す第２のホーン（５６）が設けられている、ことを特徴とする請求項１２から１５のいずれか１項に記載の方法。
【請求項１７】
上方のクランプジョウセット（４３）の少なくとも１つの第２の上方のクランプジョウ（６Ｂ）が、上方のクランプビーム（１６）に関して固定の位置に配置されている、ことを特徴とする請求項１２から１６のいずれか１項に記載の方法。
【請求項１８】
上方のクランプジョウセット（４３）の上方のクランプジョウ（６Ａ、６Ｂ）の数が次のように、すなわち作業位置において曲げエッジ（４５）の全長が、第１の上方のクランプジョウ（６Ａ）の第１の部分曲げエッジ（５３）の個々の長さに第２の上方のクランプジョウ（６Ｂ）の第２の部分曲げエッジ（５４）の長さを足して形成される合計に相当するように、選択されており、かつそのように形成された合計が最大で、形成すべき工作物（２）において支援すべきクランプ長さの長手寸法に相当する、ことを特徴とする請求項１２から１７のいずれか１項に記載の方法。
【発明の詳細な説明】
【技術分野】
【０００１】
本発明は、曲げプロセスにおける変形により、特に揺動曲げ又は振動曲げによってシートから工作物を形成するための製造設備に関する。しかし本発明は、さらに、曲げプロセスにおける変形により、特に揺動曲げ又は振動曲げによって、シートから工作物を形成する製造設備のクランプジョウセットの曲げエッジの全長を適合させる方法にも関する。
【背景技術】
【０００２】
この種概念に基づいて形成された曲げ機械が、特許文献１（独国特許出願公開第１９６３５１０６（Ａ１）号明細書）から知られている。曲げ機械は、１つの曲げ側面及び工作物を挟持するための第１と第２のクランプ側面を有している。クランプ側面の１つは、クランプ工具セットの選択可能に配置された第１と第２のクランプ工具セグメントを有している。クランプ工具セットの両側には、それぞれ第２のクランプ工具セグメントが配置されており、その第２のクランプ工具セグメントがクランプ工具セットに対して締めつけ位置から進入位置へ変位可能なソール部分を有している。その場合に欠点があって、クランプ長さもしくはクランプ工具セットによって形成される曲げエッジを適合させるために、外側に配置された２つの第２のクランプ工具セグメントの間にある第１のクランプ工具セグメントの各々をクランプ工具セットから取り出し、あるいは挿入しなければならない。その場合には大体において、多大な組み替えの手間を実施しなければならない。
【０００３】
種概念に基づいて形成された他の曲げ機械が、特許文献２（国際公開第９８／５３９２９（Ａ１）号）から知られている。この曲げ機械は、１つの曲げ側面と、工作物を挟持するための第１と第２のクランプ側面を有している。クランプ側面の１つは、同様にクランプ工具セットの選択可能に配置された第１と第２のクランプ工具セグメントを有している。それぞれ外側に配置されている第２のクランプ工具セグメントは、それぞれそのベースボディに対して締めつけ位置から進入位置へ変位可能なソール部分を有している。ここでも欠点があって、クランプ長さもしくはクランプ工具セットによって形成される曲げエッジを適合させるために、外側に配置された２つの第２のクランプ工具部材の間に位置する第１のクランプ工具部材の各々をクランプ工具セットから取り出し、あるいは挿入しなければならない。
【先行技術文献】
【特許文献】
【０００４】
【特許文献１】独国特許出願公開第１９６３５１０６（Ａ１）号明細書
【特許文献２】国際公開第９８／５３９２９（Ａ１）号
【発明の概要】
【発明が解決しようとする課題】
【０００５】
本発明の課題は、従来技術の欠点を克服して、ユーザーが様々な要請のためにクランプジョウセットを簡単かつ迅速な組み合わせることができる、製造設備及び方法を提供することである。
【０００６】
この課題は、請求項に記載の製造設備及び方法によって解決される。
【課題を解決するための手段】
【０００７】
本発明に係る製造設備は、曲げプロセスにおける変形により、特に揺動曲げ又は振動曲げによって、シートから工作物を形成するために用いられる。この製造設備は、少なくとも以下の設備部分又はコンポーネントを有することができる：
−固定の機械フレーム、下方のクランプビーム及び上方のクランプビームを備えた曲げ機械を有し、その場合にクランプビームの少なくとも１つが、形成すべき工作物をクランプ保持するために、機械フレームに対して変位可能であり、
−少なくとも１つの下方のクランプジョウ及び、複数の第１の上方のクランプジョウと少なくとも１つの第１の上方のクランプジョウとからなる上方のクランプジョウセットを備えたクランプ工具を有する。クランプジョウの各々は、ベースボディを有しており、その場合に少なくとも１つの下方のクランプジョウが下方のクランプビームに保持されており、かつ上方のクランプジョウセットの上方のクランプジョウが上方のクランプビームに保持されている。少なくとも１つの第２の上方のクランプジョウが、クランプビームの長手方向の延びの方向において第１の終端セクションに、そのベースボディに対して作業位置から引き抜き位置へ変位可能な第１のクランプジョウ部分を有し、その場合に引き抜き位置において上方のクランプジョウセットの長手寸法が、作業位置におけるよりも短く、かつ
−その場合に、上方のクランプビームが作業位置にある場合に、上方のクランプジョウセットによって、クランプビームの長手方向の延びの方向に整合する曲げエッジが形成され、かつ各第１の上方のクランプジョウによって、それぞれ曲げエッジの第１の部分曲げエッジが形成されており、かつ作業位置において、少なくとも１つの第２の上方のクランプジョウによって、第２の部分曲げエッジが形成されており、
−曲げユニットを有し、その曲げユニットが曲げプロセスを実施するためにクランプ工具に対して変位可能であり、かつ
−少なくとも１つの第２の上方のクランプジョウが、さらに、クランプビームの長手方向の延びの方向において第１の終端セクションから離隔して配置された、その第２の終端セクションに、作業位置から引き抜き位置へ変位可能な第２のクランプジョウ部分を有しており、かつ
−少なくとも１つの第２の上方のクランプジョウのそれぞれ両側に、クランプビームの長手方向の延びの方向において、少なくとも１つの第１の上方のクランプジョウが配置されており、かつ
−第１の上方のクランプジョウが少なくとも、少なくとも１つの第２の上方のクランプジョウとは逆向きの第１の終端領域に、それぞれ第１のホーンを有し、その第１のホーンが第１の上方のクランプジョウのそれぞれのベースボディを越えてクランプビームの長手方向の延びの方向に張り出すように形成されている。
【０００８】
それによって得られる利点は、ベースボディに対して作業位置から引き抜き位置へ変位可能なクランプジョウ部分を両側に設けることによって、それぞれその両側に配置されている第１の上方のクランプジョウと、それらの間に配置されている第２の上方のクランプジョウとの間に変位間隙を形成できることにある。それによって、上方のクランプ工具のクランプ長さを簡単かつ迅速に様々な適用条件に適合させることが、可能となる。それぞれクランプジョウセットの外側の第１の上方のクランプジョウもそれぞれ付加的なホーンを有しているので、クランプ長さもしくは形成すべき曲げエッジの全長は、第１の上方のクランプビームを簡単に側方で追加し、あるいは除去することによって、行うことができる。第２のクランプジョウは、クランプビームに関して常に変化しない位置に留まる。形成すべき工作物のクランププロセスの開始前に、上方のクランプジョウセットが、その短縮された引き抜き位置へ変位され、かつさらにクランププロセスの開始前に、それに対して延長された、形成すべき工作物の内部の作業位置へ変位される。そのために、第２の上方のクランプジョウの近傍領域内に位置する第１の上方のクランプジョウが次のように、すなわち第２の上方のクランプジョウから、相対的に変位可能なクランプジョウ部分がその短縮された引き抜き位置からそれに対して各第された長さ寸法を有する作業位置へ変位できる距離だけ、変位される。曲げビームの長手方向の延びの方向に実施すべき変位運動は、たとえばスライド運動によって行うことができる。上方のクランプジョウセットがその作業位置にある場合に、個々の上方のクランプジョウはクランプビームの固定位置に保持することができ、かつ形成すべき工作物のクランププロセスを実施することができる。工作物のクランプが行われた場合に、曲げプロセスを開始することができる。すなわち最短かつ第２のクランプジョウに関して中央で実施される変位運動で充分である。
【０００９】
さらに、クランプジョウ部分にそれぞれホーン形状に形成された突出部が形成されており、かつ引き抜き位置においてクランプジョウ部分によって、クランプビームの長手方向の延びの方向において第２の上方のクランプジョウの短縮された外側の長手寸法が定められると、効果的であり得る。それによって簡単に、作業位置においてクランプビームの長手方向の延びの方向にクランプジョウ部分の張り出しを得ることができる。クランプジョウ部分を相対的に変位させることにより、ホーン形状の突出部はそれぞれ、ベースボディの輪郭ラインの内部で、第２の上方のクランプジョウの両側に変位間隙を形成することができる程度に変位することができる。
【００１０】
他の実施形態は、引き抜き位置において第２の上方のクランプジョウの短縮された外側の長さ寸法が、第２の上方のクランプジョウのベースボディの最大の長さに相当することを、特徴としている。したがって最大の変位距離を得るために、第２の上方のクランプジョウのそれぞれ両側に位置する第１の上方のクランプジョウを、第２の上方のクランプジョウのベースボディに直接添接させることが、可能である。
【００１１】
他の可能な実施形態は、引き抜き位置において、少なくとも１つの第２の上方のクランプジョウのそれぞれ両側に位置する第１の上方のクランプジョウが、それぞれ少なくとも１つの第２の上方のクランプジョウのベースボディの方向に変位されている、という特徴を有している。したがってそれぞれクランプジョウセットの外側の端縁領域内に、引き抜きプロセスに必要な、工作物、特にそのアンダーカット、へ向いた間隙を形成することができる。
【００１２】
他の形成において、第１の上方のクランプジョウの少なくとも１つは、少なくとも１つの第２の上方のクランプジョウへ向いた、その第２の終端領域に、それぞれクランプビームの長手方向の延びの方向においてベースボディを越えて張りだす第２のホーンを有している。したがって第１の上方のクランプジョウのユニバーサル使用を得ることができる。すなわちそれによって、左と右の形態を設けることを省くことができる。というのはこのように形成された第１の上方のクランプジョウは、第２の上方のクランプジョウの左側にも右側にも使用することができるからである。
【００１３】
他の実施形態は、上方のクランプジョウセットの少なくとも１つの第２のクランプジョウが、上方のクランプビームに関して場所固定の位置に配置されていることを、特徴としている。第２の上方のクランプジョウを場所固定で位置決めすることによって、それに相対変位可能なクランプジョウ部分を調節するためのエネルギを供給することは、同様に簡単に固定場所に位置決めして行うことができる。
【００１４】
他の好ましい実施形態は、少なくとも１つの第２の上方のクランプジョウが、上方のクランプジョウセットの中央領域内に配置されていることを、特徴としている。それによって第２の上方のクランプジョウの両側に配置される第１の上方のクランプジョウの対称の配置を行うことができる。
【００１５】
さらに、上方のクランプジョウセットの上方のクランプジョウの数が次のように、すなわち作業位置において曲げエッジの全長が、第１の上方のクランプジョウの第１の部分曲げエッジの個々の長さと第２の上方のクランプジョウの第２の部分曲げエッジの長さとから形成される合計に相当し、かつこのように形成された合計が最大で、形成すべき工作物において支援すべきクランプ長さの長手寸法に相当するように、選択されていると、効果的であり得る。したがってほぼ又は完全につながったクランプ長さ及びその結果、実施すべき曲げプロセスのためのほぼ一貫した曲げエッジを提供することができる。
【００１６】
他の代替的な実施形態は、作業位置と引き抜き位置において、上方のクランプジョウセットの上方のクランプジョウの数が、互いに等しいことを特徴としている。それによって、個々のクランプジョウを追加し、あるいは除去するような、付加的な操作プロセスを省くことができる。したがってさらに、作業位置と引き抜き位置との間の迅速な切替えを達成することもできる。
【００１７】
他の可能な、場合によっては代替的な実施形態は、クランプ工具がさらに、下方のクランプジョウセットを有し、下方のクランプジョウセットが複数の第１の下方のクランプジョウと少なくとも１つの第２の下方のクランプジョウとを有し、かつ少なくとも１つの第２の下方のクランプジョウが両側の、クランプビームの長手方向の延びの方向に配置された、その第１と第２の終端セクションに、それぞれ作業位置から引き抜き位置へ変位可能な第１と第２のクランプジョウ部分を有するという、特徴を有している。したがって、下方のクランプジョウセットの領域内でも、様々な曲げプロセスへの個別の適合を、簡単に実施することが、可能である。
【００１８】
他の形成においては、少なくとも１つの第２の下方のクランプジョウのそれぞれ両側に、クランプビームの長手方向の延びの方向に、少なくとも１つの第１の下方のクランプジョウが配置されている。それによってここでも、第２の下方のクランプジョウを、それぞれその隣に配置されている第１の下方のクランプジョウの間の中央に配置することができる。
【００１９】
それとは関係なく、本発明の課題は、曲げプロセスにおける変形により、特に揺動曲げ又は振動曲げによって、シートから工作物を形成するための、製造設備のクランプ工具のクランプジョウセットの曲げエッジの全長を適合させる方法によっても、少なくとも以下のステップが実施されることによって、解決される：
−少なくとも１つの下方のクランプジョウ及び、複数の第１の上方のクランプジョウと少なくとも１つの第２の上方のクランプジョウとを備えた上方のクランプジョウセットを有するクランプ工具を準備し、その場合にクランプジョウの各々が、ベースボディを有している。少なくとも１つの下方のクランプジョウが、下方のクランプビームに保持されており、かつ上方のクランプジョウセットの上方のクランプジョウは、上方のクランプビームに保持されている。少なくとも１つの第２の上方のクランプジョウは、クランプビームの長手方向の延びの方向において第１の終端セクションに、そのベースボディに対して作業位置から引き抜き位置へ変位可能な第１のクランプジョウ部分を有しており、その場合に引き抜き位置においては、上方のクランプジョウセットの長さ寸法は、作業位置におけるよりも短く形成されており、かつ
−その場合に上方のクランプジョウが作業位置にある場合に、上方のクランプジョウセットによって、クランプビームの長手方向の延びの方向に整合する曲げエッジが形成される。第１の上方のクランプジョウの各々によって、それぞれ曲げエッジの第１の部分曲げエッジが形成され、かつ少なくとも１つの第２の上方のクランプジョウによって、作業位置において、第２の部分曲げエッジが形成され、かつ
−曲げユニットを準備し、その曲げユニットが、曲げプロセスを実施するためにクランプ工具に対して変位可能であり、かつ
−少なくとも１つの第２の上方のクランプジョウが、さらに、クランプビームの長手方向の延びの方向に、第１の終端セクションから離隔して配置された第２の終端セクションに、作業位置から引き抜き位置へ変位可能な第２のクランプジョウ部分を有しており、かつ
−少なくとも１つの第２の上方のクランプジョウのそれぞれ両側に、クランプビームの長手方向の延びの方向に、少なくとも１つの第１の上方のクランプジョウが配置されており、かつ
−第１の上方のクランプジョウが少なくとも、少なくとも１つの第２のクランプジョウとは逆向きの、その第１の終端領域に、それぞれ第１のホーンを有しており、その第１のホーンが、クランプビームの長手方向の延びの方向にベースボディを越えて張りだすように形成されている。
【００２０】
ここに述べた方法ステップにおいて、好ましくは、ベースボディに対して作業位置から引き抜き位置へ変位可能なクランプジョウ部分を両側に設けることによって、それぞれその両側に配置されている第１の上方のクランプジョウと、それらの間に配置された第２の上方のクランプジョウとの間に、変位間隙を形成することができる。それによって、上方の工具セットのクランプ長さを簡単かつ迅速に、様々な適用条件に適合させることが、可能になる。クランプジョウセットのそれぞれ外側で第１の上方のクランプジョウも、それぞれ付加的なホーンを有しているので、形成すべき曲げエッジのクランプ長さもしくは全長を、第１の上方のクランプジョウを側方で簡単に追加し、あるいは除去することによって、行うことができる。第２のクランプジョウは、クランプビームに関して常に変化しない位置に留まる。形成すべき工作物の曲げプロセスの開始前に、上方のクランプジョウセットがその短縮された引き抜き位置へ変位され、かつまだクランププロセスが開始される前に、それに対して延長された、形成すべき工作物の内部の作業位置へ変位される。そのために、第２の上方のクランプジョウの近傍領域内に位置する第１の上方のクランプジョウが、その第２の上方のクランプジョウから、相対的に変位可能なクランプジョウ部分がその短縮された引き抜き位置からそれに対してより大きい長手寸法を有する作業位置へ変位できる距離だけ、変位される。曲げビームの長手方向の延びの方向に実施すべき変位運動は、たとえばスライド運動によって行うことができる。上方のクランプビームセットがその作業位置にある場合に、個々の上方のクランプジョウは固定位置に位置決めしてクランプビームに保持することができ、かつ形成すべき工作物のクランププロセスを実施することができる。工作物のクランプが行われた場合に、曲げプロセスを開始することができる。すなわち最短かつ第２のクランプジョウに関して中央で実施される変位運動で、充分である。
【００２１】
さらに好ましいやり方において、クランプジョウ部分はそれぞれホーン形状に形成された突出部によって形成されており、かつ引き抜き位置において、クランプジョウ部分によって、クランプビームの長手方向の延びの方向に、第２の上方のクランプジョウの短縮された外側の長手寸法が定められる。それによって簡単に、作業位置においてクランプビームの長手方向の延びの方向にクランプジョウ部分を張り出させることができる。クランプジョウ部分の相対変位によって、ホーン形状の突出部はそれぞれベースボディの輪郭ラインの内部で、第２の上方のクランプジョウの両側に変位間隙を形成することができる距離だけ、変位することができる。
【００２２】
他の好ましいやり方は、引き抜き位置における第２の上方のクランプジョウの短縮された外側の長手寸法が、第２の上方のクランプジョウのベースボディの最大の長手寸法に相当することを、特徴としている。それによって、第２の上方のクランプジョウのそれぞれ両側に位置する第１の上方のクランプジョウが、最大の変位距離を得るために、第２の上方のクランプジョウのベースボディに直接添接することが、可能になる。
【００２３】
また好ましいやり方において、引き抜き位置を形成するために、少なくとも１つの第２の上方のクランプジョウのそれぞれ両側に位置する第１の上方のクランプジョウは、少なくとも１つの第２の上方のクランプジョウのベースボディの方向へ変位される。したがってそれぞれクランプジョウセットの外側の端縁領域内に、工作物、特にそのアンダーカットへ向かって、引き抜きプロセスに必要な間隙を形成することができる。
【００２４】
他のやり方は、第１の上方のクランプジョウの少なくとも１つが、少なくとも１つの第２の上方のクランプジョウへ向いた、その第２の終端領域に、クランプビームの長手方向の延びの方向にベースボディを越えて張りだす第２のホーンを有していることを、特徴としている。それによって、第１の上方のクランプジョウのユニバーサルな使用を得ることができる。すなわちそれによって、左と右の形態を省くことができる。とうのは、このように形成された第１の上方のクランプジョウは、第２の上方のクランプジョウの左側にも、右側にも使用することができるからである。
【００２５】
さらに好ましいやり方において、上方のクランプジョウセットの少なくとも１つの第２の上方のクランプジョウは、上方のクランプビームに関して固定の位置に配置される。第２の上方のクランプジョウを固定場所に位置決めすることによって、そのクランプジョウに、相対変位可能なクランプジョウ部分を変位させるためのエネルギを供給することは、同様に簡単に固定場所に位置決めして行うことができる。
【００２６】
他の好ましいやり方は、上方のクランプジョウセットの上方のクランプジョウの数が、作業位置において曲げエッジの全長が、第１の上方のクランプジョウの第１の部分曲げエッジの個々の長さと、第２の上方のクランプジョウの第２の部分曲げエッジの長さとから形成される合計に相当するように、選択され、かつこのように形成される合計が最大で、形成すべき工作物において支援すべきクランプ長さの長手寸法に相当することを、特徴としている。したがってほぼ、あるいは完全につながったクランプ長さを、そしてその結果、実施すべき曲げプロセスのためのほぼ一貫した曲げエッジを提供することができる。
【００２７】
本発明をさらによく理解するために、以下の図を用いて詳細に説明する。
図は、それぞれ著しく簡略化された図式的な表示である。
【図面の簡単な説明】
【００２８】
【図１】曲げ機械及び離隔した載置テーブルと離隔した操作装置を有する製造設備を示す正面図である。
【図２】載置テーブルと操作装置を有する、図１に示す製造設備を示す側面図である。
【図３】製造設備の上方のクランプジョウセットをその作業位置で示す正面図である。
【図４】図３に示す上方のクランプジョウセットをその短縮された引き抜き位置において示す正面図である。
【図５】下方のクランプジョウセットの可能な代替的形成を示す正面図である。
【発明を実施するための形態】
【００２９】
最初に記録しておくが、異なるように記載される実施形態において、同一の部分には同一の参照符号ないし同一の構成部分名称が設けられており、その場合に説明全体に含まれる開示は、同一の参照符号ないし同一の構成部分名称を有する同一の部分へ意味に従って移し替えることができる。また、説明内で選択される、たとえば上、下、側方などのような位置記載は、直接説明され、かつ示される図に関するものであって、この位置記載は位置が変化した場合には意味に従って新しい位置へ移し替えられる。
【００３０】
その場合に「特に」という表現は、以下においては、対象又は方法ステップの可能な特殊な形態又はより詳細な特殊化と考えることができるが、必ずしもその必然的な好ましい実施形態又はやり方を示すものではない。
【００３１】
図１から５には、製造設備１がその構成部分及び構成部分コンポーネントと共に示されており、その場合に図のいくつかおいて製造設備１の全体像がみられ、かつ他の図においてはその詳細が詳しく図示されている。
【００３２】
図１と２には、製造設備１が著しく簡略化された表示で示されており、製造設備はこの場合において特に、シートから形成すべき工作物２を揺動曲げ又は振動曲げするように形成されている。原材料として、多くは金属材料が使用され、その金属材料は変形されていない状態においてフラット材料又はフラット部材と称することができる。揺動曲げ又は振動曲げする場合に、加工すべきシート又は加工すべき工作物２はクランプジョウ５、６によって締めつけ保持されて、後に簡単に説明する、曲げ工具３７を有する専用の曲げユニット３５によって屈曲される。
【００３３】
曲げ領域の少なくとも１つの端部にアンダーカットを有する、加工すべきシート又は形成すべき工作物２を締めつけ保持するためには、クランプジョウ５、６の部分セクションを変位可能に形成し、あるいはまたクランプジョウ５、６の少なくとも１つ自体を変位可能に保持し、あるいは位置決めすることが、必要である。好ましくは上方のクランプジョウ６を、クランプジョウ５、６の領域内に位置する側方のアンダーカット内へ移動させ、次にまたアンダーカットから出るように変位させるために、クランプジョウ５、６の少なくとも１つに、後でさらに詳細に説明するように、変位可能なクランプジョウ部分が形成される。工作物２の左側と右側のアンダーカットが、図１に簡単に示唆されている。
【００３４】
この場合において曲げるために使用される、後述する製造設備１は曲げ機械３、特に揺動曲げ機械を有しており、同機械は、シートから形成すべき工作物２又は作業部分を互いに対して変位可能なクランプ工具４の間に締めつけ保持するように、形成されている。クランプ工具４は、この実施例において、少なくとも１つの下方のクランプジョウ５、しかし好ましくは大体において複数の下方のクランプジョウ５と、それと協働する少なくとも１つの上方のクランプジョウ６、しかし好ましくは大体において複数の上方のクランプジョウ６とを有している。１つ又は複数の下方のクランプジョウ５は、下側面の一部と、そして１つ又は複数の上方のクランプジョウ６は、上側面の一部と称することもできる。さらに、下方のクランプジョウ５は１つの片からつながって形成することもできる。
【００３５】
この種の曲げ機械３においては、座標系として原則的に「Ｘ」方向と称されるのは、水平平面内かつクランプジョウ５、６の長手方向の延びに関して垂直の方位で延びる方向である。したがってこれは、供給方向又は取り出し方法にも相当する方向である。「Ｙ」方向は垂直方向であって、したがってそれはクランプジョウ５、６の高さ方向に、かつさらに水平方向に対して垂直の方向に延びる。そして、「Ｚ」方向は、長手方向もしくはクランプジョウ５、６の長手方向の延びの方向に延びる方向である。したがって後にさらにクランプジョウ５、６の少なくとも１つによって定められる曲げエッジ４５の長手方向の延びも、「Ｚ」方向に延びるように方向づけされている。
【００３６】
図１からよく読み取れるように、複数の上方のクランプジョウ６が設けられており、その場合にさらに、少なくとも１つの第１の上方のクランプジョウ６Ａと少なくとも１つの第２の上方のクランプジョウ６Ｂの間で区別される。少なくとも２つの片、しかし好ましくは複数の第１の上方のクランプジョウ６Ａが設けられており、それらはそれぞれ第２の上方のクランプジョウ６Ｂに関して互いに対向して配置されている。互いに対向して配置された側は、「Ｚ」方向における第２の上方のクランプジョウ６Ｂの長手方向の延びに関する。
【００３７】
その場合に少なくとも１つの上方のクランプジョウ６は、曲げ機械３において形成すべき工作物２の上方に配置されており、かつそこにしかるべく保持され、特にクランプされている。少なくとも１つの下方のクランプジョウ５も、曲げ機械３に保持され、特にクランプされている。
【００３８】
曲げ機械３の機械フレーム７は、たとえば底プレート８から垂直に立ち上がるように、互いに対して離隔し、かつ互いに対して平行に方向づけされた側壁９、１０を有している。これらは好ましくは、たとえばシート成形部分から形成された、中実の横結合部１１によって底プレート８から離隔した終端領域において互いに結合されている。機械フレーム７は、大体において、好ましくは平坦なホール床上に固定された、曲げ機械３の中実の構成部分である。ここに示す形状は、他の可能な多数の形成の例としてのみ選択されたものである。
【００３９】
側壁９、１０は、工作物２を変形させるための自由空間を形成するために、好ましくはほぼＣ字形状に形成することができ、その場合に側壁９、１０の底近傍の脚部のフロント端面１２に、特に底プレート８上に立ち上がる、固定の下方のクランプビーム１３が固定されている。好ましくは固定位置に配置された、この固定の下方のクランプビーム１３は、クランプテーブル又は下側面とも称することができ、それにクランプ工具４の一部が配置され、かつそれに保持されている。
【００４０】
フロント端面１４において、底プレート８から離隔した脚部のクランプビームガイド１５内に、下方のクランプビーム１３に対して変位可能に案内されて上方のクランプビーム１６、特にプレスビームが支承されている。クランプビームガイド１５は、様々な実施形態において、大体はリニアガイドとして形成されている。上方のクランプビーム１６は、上側面と称することもできるが、それは機械フレーム７に対して変位可能に機械フレームに接して案内されている。２つのクランプビーム１３、１６の互いに対向し、互いに向き合い、かつ互いに対して平行に延びる端面１７、１８上に、１つのクランプ工具４又は複数のクランプ工具４を装着するためのクランプジョウ収容部１９、２０を配置することができる。１つ又は複数のクランプ工具４は、詳しく図示されないアダプタを介在させて、クランプジョウ収容部１９、２０に保持することもできる。さらに、クランプジョウ５、６の少なくとも１つをそれぞれのクランプビーム１３、１６に関して「Ｚ」方向に摺動可能かつあらかじめ定められた位置においてこれらのクランプビームに締めつけ保持することが、可能である。
【００４１】
図示される曲げ機械３は、変位可能な上方のクランプビーム１６、すなわちプレスビームのための駆動配置１２として、少なくとも１つの好ましくは電気エネルギによって駆動される少なくとも１つの駆動手段２２を有しており、その駆動手段は、エネルギ網２３から給電される制御装置２４とケーブル接続することができる。制御装置２４とケーブル接続された入力端末２４を介して、たとえば曲げ機械３の駆動を制御することができる。
【００４２】
駆動手段は、好ましくは、一般的に知られているような、電動駆動されるスピンドルドライブ２６であって、そのスピンドルドライブによって、プレスビームによって形成されるクランプビーム１６を可逆的に操作移動させるための操作手段２７がこのプレスビームと、たとえば駆動接続されている。しかしまた、従来技術から知られた、たとえばシリンダ−ピストン配置、ステッピングモータ、ギアラックドライブなどのような、他の既知の駆動手段２２を使用することもできる。
【００４３】
この種の曲げ機械３を駆動するために必要な、たとえば安全装置、ストッパ配置及び／又はコントロール装置のような、これ以上の詳細は、この記述において、記述が不必要に長くなるのを回避するために、省かれる。
【００４４】
さらにここでは、２つのクランプビーム１３、１６、特にその工具収容部１９、２０もしくはそれに保持されたクランプ工具４の１つ又は複数の下方と上方のクランプジョウ５、６が、クランプビーム１３、１６の長手方向に観察する場合に、その間に延びる変位平面又は機械平面２８を定めることが、簡単に示されている。変位平面又は機械平面２８は、好ましくはクランプビーム１３、１６もしくはそれに配置されているクランプジョウ収容部１９、２０に関して中央に延びている。この実施例において、垂直に方向づけされた平面である。変位平面又は機械平面２８は、垂直に方向づけされた曲げ工具３７のための参照平面と称することもできる。しかし機械平面２８は、場合によっては曲げユニット３５の曲げ工具３７のための基準平面もしくは参照平面を形成することもできる。
【００４５】
２つのクランプジョウ５、６は、それぞれ互いに向き合う端部の間にクランプ領域２９を形成する。２つのクランプジョウ５、６の互いに向き合う下方と上方のクランプ面３０、３１は、変位面又は機械平面２８に関して好ましくは直角に方向づけされている。これらのクランプ面３０、３１は、曲げプロセスを実施するためにシートをそれぞれその材厚に応じて２つのクランプジョウ５、６の間の固定位置に位置決めして締めつけ保持するために、用いられる。
【００４６】
付加的な載置テーブル３２の、載置平面３３を定める載置面は、好ましくは曲げ機械３の前側の領域内に配置することができ、その領域が図２に簡単に示唆されている。載置テーブル３２は、設けることができるが、必ずしも設ける必要はない。
【００４７】
載置平面３３は、支持平面と称することもできる。なおその場合に、載置平面は全面で形成する必要はなく、加工すべきシートの供給方向に並べて及び／又は相前後して配置された複数の載置部分面から形成することもできる。載置平面３３によって定められる載置面は、好ましくは少なくとも１つの下方のクランプジョウ５の下方のクランプ面３０と同じ平面内に配置されている。これは、シートが大面積である場合に、特にシートが薄い場合に不用意な屈曲を回避するために、曲げ機械３の供給領域内で付加的な支持部として用いることができる。
【００４８】
その場合に曲げ領域３４は、大体において平面的に存在する、まだ変形されていないシートから、少なくとも１つの付加的な折曲又は屈曲が形成されることにより、形成すべき工作物２を形成するため、あるいはすでに予備変形されている工作物２をさらに加工するために、用いられる領域である。
【００４９】
その場合に曲げ領域３４は、大体においてクランプビーム１３、１６の機械平面２８から離隔しており、かつ少なくとも１つのクランプジョウ５、６の、しかし好ましくは２つのクランプジョウ５、６の互いに向き合う終端部分によって形成される。この実施例において、曲げ領域３４は、クランプビーム１３，１６の載置テーブル３２とは、あるいは詳しく図示されない操作者とは逆の側に配置されている。したがって曲げ領域３４は、機械フレーム７の内部に延びるように配置されている。
【００５０】
曲げ領域３４は、形成すべき工作物２に少なくとも１つの、好ましくは直線的に延びる曲げラインを形成し、その場合に曲げ領域３４の両側に、曲げプロセスの実施によってそれぞれ脚部が形成される。工作物２の脚部の１つは、クランプジョウ５、６の２つのクランプ面３０、３１の間の締めつけ位置に保持され、その場合に少なくとも１つの他の脚部がクランプ面３０、３１の外部に配置されている。工作物２のそれぞれ所望の、もしくは形成すべき幾何学配置に応じて、２つの脚部がそれらの間に曲げ角度を形成する。この曲げ角度は、曲げラインに関して垂直に方向づけされた参照平面内で測定される。好ましくはさらに、参照平面自体は、機械平面２８に関してそれに対して垂直の方向に延びるように方向づけされている。
【００５１】
その場合に述べておくが、曲げ機械３の機械フレーム７はきわめて簡単に示されているだけであって、その場合に、それとは異なる実施形態を使用することも可能である。すなわちたとえば機械フレーム７もしくは機械ボディに、自由なスタンド通路を形成することができる。この場合においてクランプジョウ収容部１９、２０は、側壁９、１０もしくはサイド部分の間に収容することができる。機械フレーム７もしくは機械ボディの他の形態においては、自由なスタンド通路は不可能であり、それによってクランプジョウ収容部１９、２０は側壁９、１０もしくはサイド部分の間に収容することはできない。
【００５２】
製造設備１の曲げ機械３は、曲げプロセスを実施するために、さらに曲げユニット３５も有しており、その曲げユニットは折曲ユニット又は変形ユニットと称することもできる。これが図２に簡単に示唆されており、かつそれぞれ実施すべき曲げプロセスに応じて機械フレーム７に関してそれに対して変位させることができる。見やすくするために、図１においては曲げユニット３５及びそのコンポーネントの表示は省かれている。
【００５３】
その場合にクランプジョウ５、６の間に前もって位置決めされて締めつけ保持された、工作物２を形成するためのシートは、曲げプロセスによって、特にフラット部分を残りのフラット部分に対して折り返すことによって、曲げ領域３４を形成する曲げラインに沿って変形し、特に折り曲げることができる。
【００５４】
工作物２を形成するために、クランプジョウ５、６の間に締めつけ保持されたシートの、それぞれ実施すべき曲げ又は折曲に応じて、少なくとも１つの下方のクランプジョウ５又は少なくとも１つの上方のクランプジョウ６が折曲領域とそれに伴って曲げ領域３４を形成する。すなわち少なくとも１つの下方のクランプジョウ５が第１の変形エッジを形成し、あるいはそれを有する。少なくとも１つの上方のクランプジョウ６が第２の変形エッジを形成し、あるいはそれを有する。
【００５５】
クランプジョウ５、６の上述した２つのクランプ面３０、３１は、互いに添接した位置において、形成すべき工作物２のための工作物載置平面３６を定める。好ましくは工作物載置平面３６は、垂直の方向に見て、載置テーブル３２によって定められる載置平面３３と同じ高さに配置されている。２つの平面は、好ましくは互いに対して平面平行に延びるように方向づけされ、かつ共通の平面内に配置されている。
【００５６】
曲げユニット３５は、１つ又は複数の曲げ工具３７を有することができ、それは、曲げビーム３８の詳しい符号をもたない工具支持体に配置し、特にそれに保持することができる。曲げビーム３８は、詳しく図示されない曲げビームガイドに接して、図２に双方向矢印で示唆されるように、曲げビームドライブによって機械フレーム７に関して変位可能である。この実施例において、曲げビーム３８のメイン変位方向は、垂直方向かつ主として、垂直に延びるように方向づけされた機械平面２８に関して平行に延びている。これは、上述した「Ｙ」方向の方向における変位に相当する。付加的にさらに、曲げプロセスの最後においてクランプジョウ５、６へ向かう方向に曲げビーム３８によって最小の変位を行うことができ、それは「Ｘ」方向における変位に相当する。したがってわずかな曲げすぎを得ることができ、それによってその後弾性復帰に基づいて負荷が除かれた後に、正しい曲げ角度を維持することができる。
【００５７】
さらに製造設備１は、曲げ機械３のフロント領域もしくは操作領域内に、シート又は形成すべき工作物２の通常の操作のための少なくとも１つの、簡単に示唆するマニピュレータ４０を備えた操作装置３９も有することができる。シート又はそれからっ形成すべき工作物２の操作は、載置テーブル３２の領域内で好ましくはマニピュレータ４０によって行われ、そのマニピュレータのうちの、マニピュレータアームの一部に設けられた第１の保持部材４１のみが示されている。１つの第１の保持部材４１又は複数の第１の保持部材４１は、吸引部材として、かつ／又は磁石として形成することができ、それを用いてシートの、載置テーブル３２の載置平面３３とは逆の側を保持して、次にクランプ工具４に対して移動させ、かつ曲げ領域３４に関して位置決めして方向づけすることができる。しかしまた、第１の保持部材４１を協働する把持フィンガーを有する把持器として形成し、場合によっては載置テーブル３２を省くことも、可能である。
【００５８】
それぞれ実施すべきシートの曲げ方向に応じて、下方の曲げ工具３７か、あるいは上方の曲げ工具３７がそれぞれ、少なくとも１つの下方のクランプジョウ５と、あるいは少なくとも１つの上方のクランプジョウ６と協働する作業エッジ４２を形成する。
【００５９】
図１にはさらに、上方のクランプジョウ６Ａの複数のものが「Ｚ」方向に互いに並べて配置されており、かつ付加的に上方のクランプジョウ収容部２０内で「Ｚ」方向に変位可能に保持できることが、簡単に示されている。その場合に変位は、好ましくは曲げ領域３４の長手方向の延びの方向に行われる。上方のクランプジョウ６Ａの少なくとも個々のものの相対的な長手方向変位は、専用の、しかし詳しく図示されない変位配置によって、かつ／又はマニピュレータ４０によっても行うこと、又は実施することができる。その場合に述べておくが、以下で詳しく説明する、複数の上方のクランプジョウ６Ａと少なくとも１つの第２の上方のクランプジョウ６Ｂとからなる上方の工具セット４３の形成は、複数の下方のクランプジョウ５を有する下方の工具セット４４においても、それと同様に適用することができる。すなわち上方の工具セット４３のみか、あるいは下方の工具セット４４のみを、そのように形成することができる。しかしまた、上方の工具セット４３も、下方の工具セット４４も、以下でさらに詳しく説明する実施形態に示すように形成することも、可能である。
【００６０】
個々のクランプジョウ５、６の各々は、詳しく説明されないベースボディを有している。ベースボディの各々は、一般的な従来技術からすでに知られているように、クランプビーム１３、１６の１つの保持し、かつ固定するように、形成し、あるいは用いることができる。
【００６１】
この実施例においては、さらに、少なくとも１つの第２の上方のクランプジョウ６Ｂがクランプビーム１３、１６の長手方向の延びの方向においてその第１の終端セクション４６に、そのベースボディに対して作動位置から引き抜き位置へ変位可能な第１のクランプジョウ部分４７を有していることが、示唆されている。さらに少なくとも１つの第２の上方のクランプジョウ６Ｂが、クランプビーム１３、１６の長手方向の延びの方向において第１の終端セクション４６から離隔して配置された、その第２の終端部分４８に、同様に作業位置から引き抜き位置へ変位可能な第２のクランプジョウ部分４９を有することができる。
【００６２】
第２の上方のクランプジョウ６Ｂのクランプジョウ部分４７、４９に、それぞれホーン形状に形成された突出部５０が形成されている。突出部５０の各々は、作業位置において、第２の上方のクランプジョウ６Ｂのベースボディとは逆の側もしくは方向に、それぞれベースボディを越えてホーンとして張りだす。クランプジョウ部分４７、４９が引き抜き位置にある場合に、クランプビーム１３、１６の長手方向の延びの方向において、第２の上方のクランプジョウ６Ｂの短縮された外側の長手寸法が形成される。好ましくは引き抜き位置における短縮された外側の長手寸法は、第２の上方のクランプジョウ６Ｂのベースボディの最大の長さに相当する。したがってクランプジョウ部分４７、４９がベースボディを越えて側方へ張り出すことを、回避することができる。
【００６３】
さらに、少なくとも１つの第２の上方のクランプジョウ６Ｂのそれぞれ両側に、クランプビーム１３、１６の長手方向の延びの方向に、少なくとも１つの第１の上方のクランプジョウ６Ａが配置されている。それぞれ長手方向の延びの方向において外側に位置する第１の上方のクランプジョウ６Ａを、締めつけ保持するために上述した工作物２のアンダーカット内へ挿入することができるようにするために、第１の上方のクランプジョウ６Ａは、少なくともその、少なくとも１つの第２の上方のクランプジョウ６Ｂとは逆の第１の終端領域５１に、それぞれ第１のホーン５２を有している。第１のホーン５２の各々は、第２の上方のクランプジョウ６Ａのそれぞれのベースボディを越えてクランプビーム１３、１６の長手方向の延びの方向に張り出すように形成されている。
【００６４】
引き抜き位置において、上方のクランプジョウセット４３の長手寸法全体は、作業位置におけるよりも短い。したがって作業位置においては、工作物２によって形成される少なくとも１つのアンダーカットの領域内においても、充分なクランプ作用と曲げエッジ４５を形成することができる。
【００６５】
上方のクランプジョウセット４３の曲げエッジ４５全体は、作業位置におけるクランプビーム１３、１６の長手方向の延びの方向において、上方のクランプジョウ６Ａ、６Ｂによって形成されている。好ましくは整合してつながって形成されている曲げエッジ４５が選択される。すなわち各第１の上方のクランプジョウ６Ａによって、それぞれ第１の部分曲げエッジ５３が形成される。さらに、作業位置において、少なくとも１つの第２の上方のクランプジョウ６Ｂによって、第２の部分曲げエッジ５４が形成される。第２の部分曲げエッジ５４の長手寸法は、クランプジョウ部分４７、４９の部分長さと、少なくとも１つの第２の上方のクランプジョウ６Ｂのベースボディの部分長さとから構成される。
【００６６】
図３と４においては、図１と２における表示に基づいて、上方のクランプジョウセット４３が単独で示されている。これは、それぞれそのベースボディの側方に変位可能に配置されたクランプジョウ部分４７、４９を備えた、少なくとも１つの第２の上方のクランプジョウ６Ｂを有している。図３において、クランプジョウ部分４７、４９は作業位置で示されている。各側に、それぞれ側方隣かつそれに連続して、２つの片の第１の上方のクランプジョウ６Ａが配置されている。好ましくは、上方のクランプジョウセット４３においては、１つの片の第２のクランプジョウ６Ｂのみが使用される。したがって第２の上方のクランプジョウ６Ｂは、上方のクランプビーム１６に関して常に固定位置に配置することができる。
【００６７】
この配置において、少なくとも１つの第２の上方のクランプジョウ６Ｂは、上方のクランプジョウセット４３の中央領域に配置されている。さらに、上方のクランプジョウセット４３の少なくとも１つの第２の上方のクランプジョウ６Ｂは、上方のクランプビーム１６に関して場所固定の位置に配置することができる。これによって利点が得られ、曲げプロセスに必要な曲げエッジ４５の全体長さを適合させる場合に、第２の上方のクランプジョウ６Ｂは常に固定位置に留まることができ、それぞれ側方隣にある第１の上方のクランプジョウ６Ａのみを、それぞれ必要な長さと数で配置することができる。第２の上方のクランプジョウ６Ｂを中央の固定位置に配置することによって、作業位置から引き抜き位置への、そしてその逆の、クランプジョウ部分４７、４９の変位プロセスを実施するために、第２の上方のクランプジョウ６Ｂにエネルギを供給することも、曲げ機械３においてより簡単に行うことができる。
【００６８】
すなわち上方のクランプジョウセット４３の上方のクランプジョウ６Ａ、６Ｂの数は、作業位置において曲げエッジ４５の全長が、第１の上方のクランプジョウ６Ａの第１の部分曲げエッジ５３の個々の長さと、第２の上方のクランプジョウ６Ｂの第２の部分曲げエッジ５４の長さから形成される合計に相当するように、選択することができる。その場合に形成される合計は、最大で、形成すべき工作物２において支援すべきクランプ長さ又は形成すべき工作物２において形成すべき曲げの長さ寸法に、相当する。工作物２は、図３と４の両方において破線で示唆されている。
【００６９】
第２の上方のクランプジョウ６Ｂが常に中央に位置決めされて配置されることにより、その側方隣にある上方の第１のクランプジョウ６Ａは、その数とその部分長さにおいて、形成すべきクランプ長さと曲げエッジ４５に従って簡単に設けることができ、かつ曲げ機械３において上方のクランプジョウセット４３としてまとめることができる。これは、第１の上方のクランプジョウ６Ａを側方にスライドさせ、かつ／又は追加し、かつ／又は除去することによって行うことができる。
【００７０】
外側の２つの上方のクランプジョウ６Ａにおいて、さらに、これらが少なくとも１つの第２の上方のクランプジョウ６Ｂへ向いた第２の終端領域５５に、それぞれクランプビーム１３、１６の長手方向の延びの方向において、第１の上方のクランプジョウ６Ａのベースボディを越えて張りだす第２のホーン５６を有することができることが、破線で示唆されている。第２のホーン５６は、第１の上方のクランプジョウ６Ａの１つに、あるいはすべてにおいて、設けることができる。
【００７１】
さらに、上方のクランプジョウセット４３の上方のクランプジョウ６Ａ、６Ｂの数は、作業位置と引き抜き位置において互いに等しくすべきである。
【００７２】
図４には、上方のクランプジョウ６Ａ、６Ｂを有する上方のクランプジョウセット４の短縮された引き抜き位置が示されている。第２の上方のクランプジョウ６Ｂのベースボディの側方に配置された２つのクランプジョウ部分４７、４９は、ベースボディに対して変位されているので、上方のクランプジョウセット４３の短縮された外側の長さ寸法を得ることができる。
【００７３】
第２の上方のクランプジョウ６Ｂのそれぞれ直接側方隣に位置する、第１の上方のクランプジョウ６Ａのベースボディの間に間隙が形成されるので、それぞれその隣に配置されているすべての第１の上方のクランプジョウ６Ａが、少なくとも１つの第２の上方のクランプジョウ６Ｂのベースボディの方向へ変位することができる。
【００７４】
この変位プロセスを実施する前に、大体において、上方と下方のクランプジョウ５、６の間のクランプ作用を緩めて、クランプジョウ５、６のいずれかから工作物２へ損傷が伝達されないようにしなければならない。それ以上変位する場合、特に上方のクランプビーム１６が持ち上がる場合に、クランプジョウ部分４７、４９がその作業位置からそれに対して短縮された抜き出し位置へ変位される。ガイド配置、可能な変位ドライブ及びそのエネルギ供給は、見やすくするために省かれている。このように生じた、上方のクランプジョウ６Ｂのベースボディの側方隣に形成された間隙内へ、それぞれ両側にある第１の上方のクランプジョウ６Ａも、第２の上方のクランプジョウ６Ｂの方向へ変位される。したがって上方のクランプジョウセット４３のそれぞれもっとも外側の端縁領域内で、工作物２から衝突なしで変位することが可能になる。
【００７５】
さらに、下方のクランプジョウセット４４を、上方のクランプジョウセット４３について説明したのと同様に形成し、可変にまとめることも、可能である。これが、図５に簡単に示されている。
【００７６】
その場合にクランプ工具４は、下方のクランプジョウセット４４を有している。下方のクランプジョウセット４４は、複数の第１のクランプジョウ５Ａと少なくとも１つの第２の下方のクランプジョウ５Ｂとを有している。少なくとも１つの第２の下方のクランプジョウ５Ｂは、両側の、クランプビーム１３、１６の長手方向の延びの方向に配置されたその第１と第２の終端セクション５７、５８に、それぞれ作業位置から引き抜き位置へ変位可能な第１と第２のクランプジョウ部分４７、４９を有している。クランプジョウ部分４７、４９は、すでに説明されたクランプジョウ部分と同様に形成することができる。
【００７７】
ここでも、クランプビーム１３、１６の長手方向の延びの方向において、少なくとも１つの第２の下方のクランプ部分５Ｂのそれぞれ両側に、少なくとも１つの第１のクランプジョウ５Ａが配置されている。上述した第１のホーン５２及び、場合によっては第２のホーン５６も、同様に設けることができる。
【００７８】
クランプジョウ部分４７、４９の変位は、従来技術から知られた方法と技術に基づいて行うことができる。すなわち組み合わされた軸方向変位と揺動運動を実施することができる。図３に矢印で示唆されるように、線形の斜め変位も考えられる。
【００７９】
クランプジョウ部分４７、４９を共通に作動させ、かつ、すべて堅固なホーン５２を有する第１のクランプジョウ５Ａ、６Ａを効果的にスライド移動させることによって、ホーン工具としての可動のクランプジョウ部分４７、４９を有する第２のクランプジョウ５Ｂ、６Ｂが中央位置にあるにもかかわらず、ボックスから引き抜くことが可能である。第１のクランプジョウ５Ａ、６Ａは、好ましくは標準工具として形成されている。
【００８０】
ホーン又は突出部５０を有するクランプジョウ部分４７、４９は、それぞれ第２のクランプジョウ５Ｂ、６Ｂと共に中央位置にあり、そこで位置変化がないこと、かつ／又は短い位置変化のみであることに基づいて、直接エネルギを供給することができる。それによって、第２のクランプジョウ５Ｂ、６Ｂに、工具交換なしで済む能動化手段を設けることが、可能である。
【００８１】
第１のクランプジョウ５Ａ、６Ａ、特に上方のクランプジョウセット４３の、クランプに関与し、したがってボックスとして形成された工作物２の内部に配置されている第１のクランプジョウは、クランプビーム１６の上昇運動及び第２のクランプジョウ５Ｂ、６Ｂの能動化と共通に内側へスライドされる。
【００８２】
実施例は、可能な実施変形例を示しており、その場合にここに記録しておくが、本発明は具体的に示された実施変形例に限定されるものではなく、むしろ個々の実施変形例を互いに様々に組み合わせることも可能であり、これらの変形可能性はこの発明による技術的に取り扱うための教示に基づいて、この技術分野で活動する当業者の裁量の範囲内にある。
【００８３】
保護領域は、請求項によって定められている。しかし明細書と図面は、請求項を解釈するために利用すべきである。図示され、かつ説明された様々な実施例の個別特徴又は特徴の組合せは、それ自体自立した進歩的解決を表すことができる。自立した進歩的解決の基礎となる課題は、明細書から読みとることができる。
【００８４】
最後に形式的に指摘しておくが、構造を理解しやすくするために、部材は一部縮尺どおりではなく、かつ／又は拡大及び／又は縮小して示されている。
【符号の説明】
【００８５】
１   製造設備
２   工作物
３   曲げ機械
４   クランプ工具
５   下方のクランプジョウ
６   上方のクランプジョウ
７   機械フレーム
８   底プレート
９   側壁
１０ 側壁
１１ 横結合部材
１２ フロント端面
１３ 下方のクランプビーム
１４ フロント端面
１５ クランプビームガイド
１６ 上方のクランプビーム
１７ 端面
１８ 端面
１９ クランプビーム収容部
２０ クランプビーム収容部
２１ 駆動配置
２２ 駆動手段
２３ エネルギ網
２４ 制御装置
２５ 入力端末
２６ スピンドルドライブ
２７ 操作手段
２８ 機械平面
２９ クランプ領域
３０ 下方のクランプ面
３１ 上方のクランプ面
３２ 載置テーブル
３３ 載置平面
３４ 曲げ領域
３５ 曲げユニット
３６ 工作物載置平面
３７ 曲げ工具
３８ 曲げビーム
３９ 操作装置
４０ マニピュレータ
４１ 保持部材
４２ 作業エッジ
４３ 上方のクランプジョウセット
４４ 下方のクランプジョウセット
４５ 曲げエッジ
４６ 第１の終端セクション
４７ 第１のクランプジョウ部分
４８ 第２の終端セクション
４９ 第２のクランプジョウ部分
５０ 突出部
５１ 第１の終端領域
５２ 第１のホーン
５３ 第１の部分曲げエッジ
５４ 第２の部分曲げエッジ
５５ 第２の終端領域
５６ 第２のホーン
５７ 第１の終端セクション
５８ 第２の終端セクション
【図１】
0006989613.tif 000002
【図２】
0006989613.tif 000003
【図３】
0006989613.tif 000004
【図４】
0006989613.tif 000005
【図５】
0006989613.tif 000006